(57)【要約】【課題】シンプルな構造および簡単な操作により多孔板の孔の中に固着している固形成分を除去することできる清掃器具および多孔板の清掃方法を提供する。【解決手段】多孔板１４の清掃を行うための清掃器具２０は、軸２４を中心として回転可能となっている円柱形状のロール２２と、ロール２２の外周面から突出するよう設けられた複数の突起部２６とを備えており、各突起部２６は、ロール２２が多孔板１４に接触しながら回転移動する際に当該多孔板１４の孔１６に入るような位置に配置されている。【選択図】図３
2016221489.tif 000002
【特許請求の範囲】
【請求項１】
多孔板の清掃を行うための清掃器具であって、
軸を中心として回転可能となっている円柱形状のロールと、
前記ロールの外周面から突出するよう設けられた複数の突起部と、
を備え、
各前記突起部は、前記ロールが前記多孔板に接触しながら回転移動する際に当該多孔板の孔に入るような位置に配置されている、清掃器具。
【請求項２】
前記ロールが前記多孔板に接触しながら回転移動する際に当該多孔板の全ての前記孔に対応して各前記突起部が配置されている、請求項１記載の清掃器具。
【請求項３】
前記多孔板における前記ロールが回転移動する方向に直交する方向に沿った前記孔の数と、前記ロールの軸方向に沿った前記突起部の数とが同一となっている、請求項２記載の清掃器具。
【請求項４】
前記多孔板における隣り合う前記孔の間の距離の大きさは、前記ロールの外周面における隣り合う前記突起部の間の距離の大きさと略同一となっている、請求項２または３記載の清掃器具。
【請求項５】
各前記突起部は略円錐形状となっている、請求項１乃至４のいずれか一項に記載の清掃器具。
【請求項６】
前記多孔板に対して前記ロールを位置決めするための位置決め部を更に備えた、請求項１乃至５のいずれか一項に記載の清掃器具。
【請求項７】
前記位置決め部は、前記多孔板の両側縁を挟むよう設けられた一対のコロを含む、請求項６記載の清掃器具。
【請求項８】
前記位置決め部は、前記多孔板の各側縁に向かって前記コロを押圧する押圧部材を更に含む、請求項７記載の清掃器具。
【請求項９】
前記押圧部材は前記コロに取り付けられたバネを含み、当該バネの収縮状態からの復元力によって前記コロを前記多孔板の各側縁に向かって押圧する、請求項８記載の清掃器具。
【請求項１０】
前記ロールを前記多孔板に接触させながら回転移動させる際に作業者により把持される把持部を更に備えた、請求項１乃至９のいずれか一項に記載の清掃器具。
【請求項１１】
前記ロールの外周面には、前記多孔板との間で摩擦力が働く摩擦部材が設けられている、請求項１乃至１０のいずれか一項に記載の清掃器具。
【請求項１２】
軸を中心として回転可能となっている円柱形状のロールと、前記ロールの外周面から突出するよう設けられた複数の突起部と、把持部とを備えた清掃器具による多孔板の清掃方法であって、
把持部を把持する工程と、
前記把持部を把持した状態で前記ロールを前記多孔板に接触させながら回転移動させ、前記突起部を前記多孔板の孔に入れる工程と、
を備えた、多孔板の清掃方法。
【発明の詳細な説明】
【技術分野】
【０００１】
本発明は、多孔板の清掃を行うための清掃器具およびこのような清掃器具による多孔板の清掃方法に関する。
【背景技術】
【０００２】
従来から、樹脂を用いる塗工工程において、乾燥装置の多孔板より熱風を塗工面に吹き付けることによって当該塗工面を乾燥している。しかしながら、このような乾燥装置を長期間使用した場合には、樹脂の乾燥時に溶剤以外の固形成分が一部揮発するため、この揮発した固形成分が乾燥装置の表面に固着してしまうという問題がある。とりわけ、多孔板における給排気口としての孔の中に固形成分が固着してしまった場合には、多孔板の構造および作業性の面から固形成分を除去しにくく、当該固形成分が集積しやすくなってしまう。このように、固形成分が乾燥装置の多孔板の孔全体を覆ってしまうと、当該多孔板から吹き出されるべき熱風の流れが妨げられてしまい、乾燥装置の機能が低下してしまう。ここで、多孔板の孔の中に固形成分が固着してしまうと当該多孔板の表面をウエス等で拭き取るだけでは固形成分を除去することができないため、穿孔器具を用いて多孔板の孔の中から固形成分を除去する必要がある。
【０００３】
しかしながら、従来の穿孔器具は、ドリルや当該ドリルを回転させるモータ、ならびにモータの制御部等の部材から構成されており、一度に１つの孔からしか固形成分を除去することができず、複数（例えば、１００以上）の孔を有する多孔板の清掃を行うには時間がかかるという問題があった。
【０００４】
これに対して、特許文献１には、クリーナーヘッド部の底面に開口部を設けるとともに、清掃方向両端面の少なくとも一方に沿って支持棒を設け、外周面に多数の突起を有するローラを回転可能にこの支持棒に取り付けるとともに、開口部から入ったゴミを捕捉または収容するための粘着シート等をクリーナーヘッド部の内部に設けた清掃器具が開示されている。このような清掃器具は、様々な大きさのゴミを捕捉でき、強度的に優れ、衛生的でかつ使い易いという利点がある。
【先行技術文献】
【特許文献】
【０００５】
【特許文献１】特開平９−２５３０２５号公報
【発明の概要】
【発明が解決しようとする課題】
【０００６】
しかしながら、特許文献１に開示される清掃器具は、あくまでじゅうたんやカーペットから髪の毛やパン粉、菓子くず等のゴミを掻き取るものであり、乾燥装置の多孔板の孔の中に固着している樹脂等の固形成分を除去するために用いられるものではない。より詳細には、特許文献１に開示される清掃器具には、非常に多数の突起がローラの外周面に設けられているが、これらの突起はあくまでじゅうたんやカーペット上のゴミを捕捉して粘着シートに粘着させるものであり、乾燥装置の多孔板の孔に対して正確に位置が合うよう突起が配置されたものではない。
【０００７】
本発明は、このような点を考慮してなされたものであり、シンプルな構造および簡単な操作により多孔板の孔の中に固着している固形成分を除去することできる清掃器具および多孔板の清掃方法を提供することを目的とする。
【課題を解決するための手段】
【０００８】
本発明の清掃器具は、多孔板の清掃を行うための清掃器具であって、軸を中心として回転可能となっている円柱形状のロールと、前記ロールの外周面から突出するよう設けられた複数の突起部と、を備え、各前記突起部は、前記ロールが前記多孔板に接触しながら回転移動する際に当該多孔板の孔に入るような位置に配置されていることを特徴とする。
【０００９】
このような清掃器具によれば、ロールの外周面から突出するよう設けられた複数の突起部の各々が、ロールが多孔板に接触しながら回転移動する際に当該多孔板の孔に入るような位置に配置されているため、シンプルな構造および簡単な操作により多孔板の孔の中に固着している固形成分を除去することできる。
【００１０】
本発明の清掃器具においては、前記ロールが前記多孔板に接触しながら回転移動する際に当該多孔板の全ての前記孔に対応して各前記突起部が配置されていてもよい。
【００１１】
この場合、前記多孔板における前記ロールが回転移動する方向に直交する方向に沿った前記孔の数と、前記ロールの軸方向に沿った前記突起部の数とが同一となっていてもよい。
【００１２】
また、前記多孔板における隣り合う前記孔の間の距離の大きさは、前記ロールの外周面における隣り合う前記突起部の間の距離の大きさと略同一となっていてもよい。
【００１３】
本発明の清掃器具においては、各前記突起部は略円錐形状となっていてもよい。
【００１４】
本発明の清掃器具は、前記多孔板に対して前記ロールを位置決めするための位置決め部を更に備えていてもよい。
【００１５】
この場合、前記位置決め部は、前記多孔板の両側縁を挟むよう設けられた一対のコロを含んでいてもよい。
【００１６】
また、前記位置決め部は、前記多孔板の各側縁に向かって前記コロを押圧する押圧部材を更に含んでいてもよい。
【００１７】
また、前記押圧部材は前記コロに取り付けられたバネを含み、当該バネの収縮状態からの復元力によって前記コロを前記多孔板の各側縁に向かって押圧するようになっていてもよい。
【００１８】
本発明の清掃器具は、前記ロールを前記多孔板に接触させながら回転移動させる際に作業者により把持される把持部を更に備えていてもよい。
【００１９】
本発明の清掃器具においては、前記ロールの外周面には、前記多孔板との間で摩擦力が働く摩擦部材が設けられていてもよい。
【００２０】
本発明の多孔板の清掃方法は、軸を中心として回転可能となっている円柱形状のロールと、前記ロールの外周面から突出するよう設けられた複数の突起部と、把持部とを備えた清掃器具による多孔板の清掃方法であって、把持部を把持する工程と、前記把持部を把持した状態で前記ロールを前記多孔板に接触させながら回転移動させ、前記突起部を前記多孔板の孔に入れる工程と、を備えたことを特徴とする。
【００２１】
このような多孔板の清掃方法によれば、清掃器具の把持部を把持した状態でロールを多孔板に接触させながら回転移動させ、突起部を多孔板の孔に入れることにより、シンプルな構造および簡単な操作により多孔板の孔の中に固着している固形成分を除去することできる。
【発明の効果】
【００２２】
本発明の清掃器具および多孔板の清掃方法によれば、シンプルな構造および簡単な操作により多孔板の孔の中に固着している固形成分を除去することできる。
【図面の簡単な説明】
【００２３】
【図１】本発明の実施の形態による清掃器具の構成を概略的に示す正面図である。
【図２】図１に示す清掃器具の側面図である。
【図３】図１等に示す清掃器具により多孔板の清掃を行う際の動作を示す正面図である。
【図４】図１等に示す清掃器具により多孔板の清掃を行う際の動作を示す側断面図である。
【図５】図１等に示す清掃器具により清掃されるべき多孔板が複数設けられた乾燥装置の構成を示す側面図である。
【図６】図５に示す乾燥装置に設けられた多孔板の構成を示す側断面図である。
【図７】図６に示す多孔板を左側から右方向に見たときの構成を示す正面図である。
【図８】図６等に示す多孔板の孔に樹脂等の固形成分が付着した状態を拡大して示す側断面図である。
【発明を実施するための形態】
【００２４】
以下、図面を参照して本発明の実施の形態について説明する。図１乃至図８は、本実施の形態による清掃器具およびこのような清掃器具により清掃されるべき多孔板を示す図である。このうち、図１および図２は、それぞれ、本実施の形態による清掃器具の構成を概略的に示す正面図および側面図であり、図３および図４は、それぞれ、図１等に示す清掃器具により多孔板の清掃を行う際の動作を示す正面図および側断面図である。また、図５は、図１等に示す清掃器具により清掃されるべき多孔板が複数設けられた乾燥装置の構成を示す側面図であり、図６は、図５に示す乾燥装置に設けられた多孔板の構成を示す側断面図であり、図７は、図６に示す多孔板を左側から右方向に見たときの構成を示す正面図である。また、図８は、図６等に示す多孔板の孔に樹脂等の固形成分が付着した状態を拡大して示す側断面図である。
【００２５】
本実施の形態による清掃器具を説明するにあたり、まず、このような清掃器具により清掃されるべき多孔板の構成について図５乃至図８を用いて説明する。図５に示すように、樹脂を用いる塗工工程において塗工面を乾燥するための乾燥装置１０は、本体部１２と、この本体部１２に設けられた複数の金属製の多孔板１４とを備えており、各多孔板１４から熱風が塗工面に吹き付けられるようになっている。図６および図７に示すように、各多孔板１４には給排気口としての複数の円形の孔１６が縦方向および横方向に等間隔で並ぶよう設けられており、乾燥装置１０の本体部１２から各多孔板１４の各孔１６を介して熱風が吹き出されるようになっている。
【００２６】
しかしながら、このような乾燥装置１０を長期間使用した場合には、樹脂の乾燥時に溶剤以外の固形成分が一部揮発するため、この固形成分が乾燥装置１０の各多孔板１４における各孔１６の中に固着してしまう。図８に、多孔板１４の各孔１６の中に固着した樹脂の固形成分１８を示す。本実施の形態による清掃器具２０は、このような多孔板１４の各孔１６の中に固着した固形成分１８を除去するものである。
【００２７】
次に、本実施の形態による清掃器具２０の構成について説明する。図１および図２に示すように、本実施の形態による清掃器具２０は、軸２４を中心として回転可能となっている円柱形状のロール２２と、このロール２２の外周面から突出するよう設けられた複数の突起部２６とを備えており、各突起部２６は、ロール２２が多孔板１４に接触しながら回転移動する際に当該多孔板１４の孔１６に入るような位置に配置されている。ここで、各突起部２６は略円錐形状となっている。このような構成の清掃器具２０によれば、ロール２２を多孔板１４に接触させながら回転移動させると、図４に示すように各突起部２６が多孔板１４の各孔１６の中に入るようになり、各孔１６の中に固着した固形成分１８を当該突起部２６により除去することによって各孔１６を開口状態とすることができるようになる。
【００２８】
また、本実施の形態による清掃器具２０では、ロール２２が多孔板１４に接触しながら回転移動する際に当該多孔板１４の全ての孔１６に対応して各突起部２６が配置されている。より詳細には、図３や図４に示すように、多孔板１４におけるロール２２が回転移動する方向に直交する方向（すなわち、図３における上下方向）に沿った孔１６の数（具体的には、３つ）と、ロール２２の軸方向に沿った突起部２６の数（具体的には、３つ）とが同一となっている。また、多孔板１４における隣り合う孔１６の間の距離の大きさ（具体的には、図３における縦方向および横方向のそれぞれの隣り合う孔１６の間の距離の大きさ）は、ロール２２の外周面における隣り合う突起部２６の間の距離の大きさ（具体的には、ロール２２の外周面における縦方向および横方向のそれぞれの突起部２６の間の距離の大きさ）と略同一となっている。このことにより、ロール２２が多孔板１４に接触しながら回転移動する際に、多孔板１４の全ての孔１６に各突起部２６が入るようになり、全ての孔１６から固形成分１８を除去して開口状態とすることができるようになる。
【００２９】
また、ロール２２の外周面には、多孔板１４との間で摩擦力が働くゴム等の摩擦部材が設けられている。このことにより、ロール２２を多孔板１４に接触させながら回転移動させる際に、ロール２２が多孔板１４の表面に沿って確実に回転するようになるため、ロール２２が多孔板１４の表面で滑ってしまい当該多孔板１４の表面に沿って十分に回転せずに多孔板１４の各孔１６の位置と各突起部２６の位置とがずれてしまうことを防止することができるようになる。
【００３０】
また、図１および図２に示すように、本実施の形態による清掃器具２０は、ロール２２の軸２４の両端部がそれぞれ取り付けられた本体部３０と、本体部３０に設けられた一対の把持部３２（具体的には、持ち手）とを備えており、多孔板１４の清掃を行う作業者は両手で把持部３２を把持しながら多孔板１４の表面に沿って本体部３０を移動させることによりロール２２を多孔板１４の表面に接触させながら図３における右方向に回転移動させることができるようになる。
【００３１】
また、本実施の形態による清掃器具２０では、多孔板１４に対してロール２２を位置決めするための位置決め部として、多孔板１４の両側縁を図３や図４における上下方向から挟むよう設けられた一対のコロ３４および多孔板１４の各側縁に向かってコロ３４を押圧するバネ等の押圧部材３６がそれぞれ設けられている。ここで、各押圧部材３６がバネから構成されている場合には、当該バネの収縮状態からの復元力によって各コロ３４が多孔板１４の各側縁に向かって押圧されるようになる。このような構成の位置決め部が設けられていることにより、ロール２２を多孔板１４に接触させながら回転移動させる際に、一対のコロ３４によって多孔板１４の両側縁を図３や図４における上下方向から挟むことによりロール２２の軸方向（すなわち、図３の上下方向）における多孔板１４に対するロール２２の位置合わせを行うことができるようになる。このことにより、多孔板１４の各孔１６の位置と各突起部２６の位置とがずれてしまうことを防止することができるようになる。また、多孔板１４の各側縁に向かってコロ３４を押圧するバネ等の押圧部材３６が設けられていることにより、各コロ３４と多孔板１４の各側縁との間に隙間が形成されてしまうことを防止することができ、よってロール２２の軸方向における多孔板１４に対するロール２２の位置合わせをより精度良く行うことができるようになる。
【００３２】
次に、このような構成からなる清掃器具２０により多孔板１４の清掃を行う方法について説明する。
【００３３】
多孔板１４の清掃を行おうとする作業者は、まず両手で清掃器具２０の一対の把持部３２をそれぞれ把持する。そして、清掃されるべき多孔板１４の表面にロール２２を接触させながら当該多孔板１４の表面に沿ってロール２２を回転移動させる。具体的には、一対のコロ３４により多孔板１４の両側縁を挟んだ後、作業者が多孔板１４の表面に沿って本体部３０を図３における右方向に移動させることにより、ロール２２が多孔板１４の表面に接触しながら当該多孔板１４の表面に沿って回転移動するようになる。また、この際に、ロール２２の外周面に設けられた各突起部２６が多孔板１４の各孔１６に入るようにする。このように、ロール２２を多孔板１４に接触させながら回転移動させることによって、図４に示すように各突起部２６が多孔板１４の各孔１６の中に入るようになり、各孔１６の中に固着した固形成分１８を当該突起部２６により除去することによって各孔１６を開口状態とすることができるようになる。
【００３４】
なお、一般的には乾燥装置１０において複数の多孔板１４の各々における各孔１６の数および位置は同一となっているため、１つの清掃器具２０により乾燥装置１０における複数の多孔板１４の清掃を順に行うことができるようになる。
【００３５】
以上のような構成からなる本実施の形態の清掃器具２０によれば、軸２４を中心として回転可能となっている円柱形状のロール２２の外周面から突出するよう複数の突起部２６が設けられており、各突起部２６は、ロール２２が多孔板１４に接触しながら回転移動する際に当該多孔板１４の孔１６に入るような位置に配置されているため、シンプルな構造および簡単な操作により多孔板１４の孔１６の中に固着している固形成分１８を除去することできるようになる。
【００３６】
また、本実施の形態の清掃器具２０においては、上述したように、ロール２２が多孔板１４に接触しながら回転移動する際に当該多孔板１４の全ての孔１６に対応して各突起部２６が配置されている。より詳細には、多孔板１４におけるロール２２が回転移動する方向に直交する方向に沿った孔１６の数と、ロール２２の軸方向に沿った突起部２６の数とが同一となっている。また、多孔板１４における隣り合う孔１６の間の距離の大きさは、ロール２２の外周面における隣り合う突起部２６の間の距離の大きさと略同一となっている。これらの技術的事項によれば、ロール２２が多孔板１４に接触しながら回転移動する際に、多孔板１４の全ての孔１６に各突起部２６が入るようになり、全ての孔１６から固形成分１８を除去して開口状態とすることができるようになる。
【００３７】
また、本実施の形態の清掃器具２０においては、上述したように、各突起部２６は略円錐形状となっている。なお、本実施の形態による清掃器具２０では、ロール２２の外周面に設けられた各突起部の形状は略円錐形状に限定されることはなく、多孔板１４の各孔１６の中に付着した固形成分１８を除去することができる形状であれば他の形状のものとすることもできる。
【００３８】
また、本実施の形態の清掃器具２０においては、上述したように、多孔板１４に対してロール２２を位置決めするための位置決め部が設けられている。このような位置決め部が設けられている場合には、ロール２２を多孔板１４に接触させながら回転移動させる際に、多孔板１４に対してロール２２を位置決めすることによって多孔板１４の各孔１６の位置と各突起部２６の位置とがずれてしまうことを防止することができるようになる。また、本実施の形態では、位置決め部は、多孔板１４の両側縁を挟むよう設けられた一対のコロ３４を含んでいる。また、位置決め部は、多孔板１４の各側縁に向かってコロ３４を押圧する押圧部材３６を更に含んでいる。ここで、押圧部材３６はコロ３４に取り付けられたバネを含み、当該バネの収縮状態からの復元力によってコロ３４を多孔板１４の各側縁に向かって押圧するようになっている。これらの技術的事項によれば、多孔板１４の各側縁に向かってコロ３４を押圧することによって、各コロ３４と多孔板１４の各側縁との間に隙間が形成されてしまうことを防止することができ、よってロール２２の軸方向における多孔板１４に対するロール２２の位置合わせをより精度良く行うことができるようになる。
【００３９】
また、本実施の形態の清掃器具２０においては、上述したように、ロール２２を多孔板１４に接触させながら回転移動させる際に作業者により把持される把持部３２が設けられている。この場合には、作業者は把持部３２を把持することによってロール２２を多孔板１４に接触させながら回転移動させることができるようになり、よって簡単な操作で多孔板１４の孔１６の中に固着している固形成分１８を除去することできるようになる。
【００４０】
また、本実施の形態の清掃器具２０においては、上述したように、ロール２２の外周面には、多孔板１４との間で摩擦力が働く摩擦部材が設けられている。この場合には、ロール２２を多孔板１４に接触させながら回転移動させる際に、ロール２２が多孔板１４の表面に沿って確実に回転するようになるため、ロール２２が多孔板１４の表面で滑ってしまい当該多孔板１４の表面に沿って十分に回転せずに多孔板１４の各孔１６の位置と各突起部２６の位置とがずれてしまうことを防止することができるようになる。
【００４１】
なお、本実施の形態による清掃器具２０は、上述したような態様に限定されることはなく、様々な変更を加えることができる。
【００４２】
例えば、変形例に係る清掃器具２０において、各突起部２６はそれぞれ回転自在となっており、ロール２２が回転するとこのロール２２の回転力が各突起部２６に伝達されてこれらの突起部２６も自動的に回転するようになっていてもよい。この場合には、多孔板１４の各孔１６の中に入った突起部２６が回転することにより、これらの孔１６の中で固着した固形成分１８を回転している突起部２６によってより確実に除去することができるようになる。
【００４３】
また、別の変形例に係る清掃器具２０において、各コロ３４の回転力をロール２２に伝達する動力伝達機構が設けられていてもよい。この場合には、一対のコロ３４により多孔板１４の両側縁を挟んだ後、作業者が多孔板１４の表面に沿って本体部３０を図３における右方向に移動させると、各コロ３４の回転力が上記の動力伝達機構によりロール２２に伝達されてこのロール２２も自動的に回転するようになる。このような変形例に係る清掃器具２０によれば、ロール２２が多孔板１４の表面に沿って確実に回転するようになるため、ロール２２が多孔板１４の表面で滑ってしまい当該多孔板１４の表面に沿って十分に回転せずに多孔板１４の各孔１６の位置と各突起部２６の位置とがずれてしまうことを防止することができるようになる。
【符号の説明】
【００４４】
１０  乾燥装置
１２  本体部
１４  多孔板
１６  孔
１８  固形成分
２０  清掃器具
２２  ロール
２４  軸
２６  突起部
３０  本体部
３２  把持部
３４  コロ
３６  押圧部材
【図１】
2016221489.tif 000003
【図２】
2016221489.tif 000004
【図３】
2016221489.tif 000005
【図４】
2016221489.tif 000006
【図５】
2016221489.tif 000007
【図６】
2016221489.tif 000008
【図７】
2016221489.tif 000009
【図８】
2016221489.tif 000010